(57)【特許請求の範囲】
【請求項１】
メッセージのマルチレイヤー転送を促進する方法であって、
（ｓａ）広告サーバーシステムによって少なくとも１つのフィードバックメッセージを受信するステップであって、該少なくとも１つのフィードバックメッセージのそれぞれが、転送ユーザー識別子と、対応する第１の受信デバイスの対応する第１の受信ユーザー識別子とを含み、前記広告サーバーシステムは、前記対応する第１の受信ユーザー識別子の前記対応する第１の受信デバイスから前記フィードバックメッセージを受信し、前記少なくとも１つのフィードバックメッセージを、前記転送ユーザー識別子と関連付けられた広告メッセージの第１レイヤー転送として解釈する、前記受信するステップと、
（ｓｂ）前記広告サーバーシステムによって、前記広告メッセージの前記第１レイヤー転送の第１の転送数を、該広告メッセージの該第１レイヤー転送の前記少なくとも１つのフィードバックメッセージに従って記録するステップと、
（ｓｃ）前記広告サーバーシステムから前記転送ユーザー識別子の転送移動デバイスに奨励メッセージを送信するステップであって、該奨励メッセージは、少なくとも前記第１の転送数に従って求められた転送重みに基づく情報を含む、前記送信するステップと、を含み、
前記広告サーバーシステムは、前記転送数が特定の条件を満たすときに、該特定の条件が定められた転送重みに対応する特典の情報を含む前記奨励メッセージを送信する
メッセージのマルチレイヤー転送を促進する方法。
【請求項２】
前記少なくとも１つのフィードバックメッセージのそれぞれに関して、該フィードバックメッセージは、前記対応する第１の受信ユーザー識別子の前記対応する第１の受信デバイスが、前記転送ユーザー識別子の前記転送移動デバイスから前記広告メッセージを得ることを示す、請求項１に記載のメッセージのマルチレイヤー転送を促進する方法。
【請求項３】
（ｔａ）前記広告サーバーシステムによって少なくとも１つのフィードバックメッセージを受信するステップであって、該少なくとも１つのフィードバックメッセージのそれぞれが、前記対応する第１の受信ユーザー識別子と、対応する第２の受信デバイスの対応する第２の受信ユーザー識別子とを含み、前記広告サーバーシステムは、前記対応する第２の受信ユーザー識別子の前記対応する第２の受信デバイスから前記フィードバックメッセージを受信し、前記少なくとも１つのフィードバックメッセージを、前記広告メッセージと関連付けられた第２レイヤー転送として解釈する、前記受信するステップと、
（ｔｂ）前記広告サーバーシステムへの前記広告メッセージと関連付けられた前記第２のレイヤー転送の第２の転送数を、該広告メッセージと関連付けられた該第２のレイヤー転送の前記少なくとも１つのフィードバックメッセージに従って記録するステップと、を更に含む、請求項１に記載のメッセージのマルチレイヤー転送を促進する方法。
【請求項４】
前記ステップ（ｔａ）及び（ｔｂ）は、前記ステップ（ｓｃ）の前に実行され、前記奨励メッセージは、少なくとも前記第１の転送数及び前記第２の転送数に従って求められた前記転送重みに基づく情報を含む、請求項３に記載のメッセージのマルチレイヤー転送を促進する方法。
【請求項５】
前記ステップ（ｔａ）及び（ｔｂ）は、前記ステップ（ｓｃ）の後に実行され、前記方法は、
前記広告サーバーシステムから、前記転送ユーザー識別子の前記転送移動デバイスに第２の奨励メッセージを送信するステップであって、該第２の奨励メッセージは、少なくとも前記第１の転送数及び前記第２の転送数に従って求められた転送重みに基づく情報を含む、前記送信するステップを更に含む、請求項３に記載のメッセージのマルチレイヤー転送を促進する方法。
【請求項６】
前記広告サーバーシステムにおいて広告支払いメッセージを生成するステップであって、該広告支払いメッセージは、前記第１の転送数及び前記第２の転送数のうちの少なくとも一方に従って求められた広告支払い値に基づく情報を含む、前記生成するステップを更に含む、請求項４又は５に記載のメッセージのマルチレイヤー転送を促進する方法。
【請求項７】
前記ステップ（ｓａ）の前に、前記方法は、
（ｑａ）前記広告サーバーシステムにおいて、前記広告メッセージを、前記転送ユーザー識別子を有する前記転送移動デバイスに送信するステップであって、前記広告メッセージはテキスト部と、ネットワークリソースロケーション特定部とを含む、前記送信するステップを更に含む、請求項１に記載のメッセージのマルチレイヤー転送を促進する方法。
【請求項８】
前記ステップ（ｑａ）の後に、前記方法は、
（ｒａ）前記広告サーバーシステムにおいて、前記転送ユーザー識別子に対応するウェブページ要求に応答して、前記転送ユーザー識別子の前記転送移動デバイスに少なくとも１つのウェブページを出力するステップであって、前記ウェブページ要求は、該ウェブページ要求が、前記広告メッセージの前記ネットワークリソースロケーション特定部に従って前記転送ユーザー識別子の前記転送移動デバイスによって出力されたことを示し、前記少なくとも１つのウェブページは前記広告メッセージを転送するためのユーザーインターフェースを提供する、前記出力するステップと、
（ｒｂ）前記広告サーバーシステムにおいて、転送要求に応答して、前記広告メッセージに基づく情報を、少なくとも１つの第１のユーザー識別子によって示された少なくとも１つの第１の移動デバイスに転送するステップであって、前記転送要求は、前記転送ユーザー識別子の前記転送移動デバイスが、前記少なくとも１つの第１のユーザー識別子によって示された前記少なくとも１つの第１の移動デバイスに前記広告メッセージを転送することを要求することを示し、前記少なくとも１つの第１のユーザー識別子は前記ステップ（ｓａ）の前記少なくとも１つの第１の受信ユーザー識別子である、前記転送するステップと、を更に含む、請求項７に記載のメッセージのマルチレイヤー転送を促進する方法。
【請求項９】
前記ステップ（ｓａ）の前に、前記方法は、
前記広告サーバーシステムによって少なくとも１つの報告メッセージを受信するステップであって、該少なくとも１つの報告メッセージのそれぞれが、前記転送ユーザー識別子と、前記対応する第１の受信デバイスの前記対応する第１の受信ユーザー識別子とを有し、前記広告サーバーシステムは、前記転送ユーザー識別子の前記転送移動デバイスから前記報告メッセージを受信し、前記少なくとも１つの報告メッセージを、前記転送ユーザー識別子と関連付けられた前記広告メッセージの第１レイヤー転送として解釈する、前記受信するステップを更に含む、請求項１に記載のメッセージのマルチレイヤー転送を促進する方法。
【請求項１０】
メッセージのマルチレイヤー転送を促進するシステムであって、
少なくとも１つのフィードバックメッセージを受信する受信ユニットであって、該少なくとも１つのフィードバックメッセージのそれぞれが、転送ユーザー識別子と、対応する第１の受信デバイスの対応する第１の受信ユーザー識別子とを含み、広告サーバーシステムが、前記対応する第１の受信ユーザー識別子の前記対応する第１の受信デバイスから前記フィードバックメッセージを受信し、前記少なくとも１つのフィードバックメッセージを、前記転送ユーザー識別子と関連付けられた広告メッセージの第１レイヤー転送として解釈する、前記受信ユニットと、
格納ユニットと、
前記受信ユニット及び前記格納ユニットに結合された処理ユニットであって、前記広告メッセージの前記第１レイヤー転送の第１の転送数を、該広告メッセージの該第１レイヤー転送の前記少なくとも１つのフィードバックメッセージに従って前記格納ユニットに記録する、前記処理ユニットと、
前記転送ユーザー識別子の転送移動デバイスに第１の奨励メッセージを送信する送信ユニットであって、該第１の奨励メッセージは、少なくとも前記第１の転送数に従って求められた転送重みに基づく情報を含む、前記送信ユニットと、を備え、
前記広告サーバーシステムは、前記転送数が特定の条件を満たすときに、該特定の条件が定められた転送重みに対応する特典の情報を含む前記奨励メッセージを送信する
メッセージのマルチレイヤー転送を促進するシステム。
【請求項１１】
前記受信ユニットは少なくとも１つのフィードバックメッセージを受信し、前記少なくとも１つのフィードバックメッセージのそれぞれが、前記対応する第１の受信ユーザー識別子と、対応する第２の受信デバイスの対応する第２の受信ユーザー識別子とを含み、前記広告サーバーシステムは、前記対応する第２の受信ユーザー識別子の前記対応する第２の受信デバイスから前記フィードバックメッセージを受信し、前記少なくとも１つのフィードバックメッセージを、前記広告メッセージと関連付けられた第２レイヤー転送として解釈し、
前記処理ユニットは、前記格納ユニットへの前記広告メッセージと関連付けられた前記第２レイヤー転送の第２の転送数を、該広告メッセージと関連付けられた該第２レイヤー転送の前記少なくとも１つのフィードバックメッセージに従って記録し、
前記送信ユニットは、前記転送ユーザー識別子の前記転送移動デバイスに第２の奨励メッセージを送信し、該第２の奨励メッセージは少なくとも前記第１の転送数及び前記第２の転送数に従って求められた転送重みに基づく情報を含む、請求項１０に記載のメッセージのマルチレイヤー転送を促進するシステム。
【請求項１２】
前記処理ユニットは、少なくとも前記第１の転送数及び前記第２の転送数に従って広告支払い値を求め、該広告支払い値に基づく情報を含む広告支払いメッセージを生成する、請求項１１に記載のメッセージのマルチレイヤー転送を促進するシステム。
【請求項１３】
前記送信ユニットは、前記広告メッセージを、前記転送ユーザー識別子を有する前記転送移動デバイスに送信し、前記広告メッセージはテキスト部と、ネットワークリソースロケーション特定部とを含む、請求項１０に記載のメッセージのマルチレイヤー転送を促進するシステム。
【請求項１４】
前記送信ユニットが前記広告メッセージを送信した後に、
前記処理ユニットは前記転送ユーザー識別子に対応するウェブページ要求に応答して、前記転送ユーザー識別子の前記転送移動デバイスに少なくとも１つのウェブページを出力し、前記ウェブページ要求は、該ウェブページ要求が、前記広告メッセージの前記ネットワークリソースロケーション特定部に従って前記転送ユーザー識別子の前記転送移動デバイスによって出力されることを示し、前記少なくとも１つのウェブページは前記広告メッセージを転送するためのユーザーインターフェースを提供する、請求項１３に記載のメッセージのマルチレイヤー転送を促進するシステム。
【請求項１５】
前記送信ユニットが前記広告メッセージを送信した後に、
前記処理ユニットは、転送要求に応答して、前記広告メッセージに基づく情報を、少なくとも１つの第１のユーザー識別子によって示された少なくとも１つの第１の移動デバイスに転送するように前記送信ユニットを制御し、前記転送要求は、前記転送ユーザー識別子の前記転送移動デバイスが、前記少なくとも１つの第１のユーザー識別子によって示された前記少なくとも１つの第１の移動デバイスに前記広告メッセージを転送することを要求することを示す、請求項１３又は１４に記載のメッセージのマルチレイヤー転送を促進するシステム。
【請求項１６】
移動デバイスにおいて用いる、メッセージのマルチレイヤー転送を促進する方法であって、
テキスト部と、ネットワークリソースロケーション特定部とを含む広告メッセージを受信するステップと、
前記広告メッセージから少なくとも１つのロケーション情報であって、少なくともランドマークとＧＰＳ座標の少なくとも１つを含む前記ロケーション情報を得るステップと、
前記少なくとも１つのロケーション情報を、前記ネットワークリソースロケーション特定部に従って少なくとも１つの対応するハイパーリンクに変換するステップと、
前記少なくとも１つのハイパーリンクに従ってサーバーシステムに情報要求を送信するステップと、
前記サーバーシステムの応答データを受信するステップと、
前記応答データに従って、前記広告メッセージを転送するための少なくとも１つのユーザーインターフェースを前記移動デバイスのユーザーインターフェース上に表示するステップと、
前記ユーザーインターフェースから送信された転送確認に応答して、前記広告メッセージに基づくメッセージを、少なくとも１つのユーザー識別子の少なくとも１つの受信移動デバイスに転送するステップと、
前記転送動作の転送数を記録するステップと、
前記転送数に従って、前記移動デバイスの前記ユーザーインターフェース上に奨励メッセージを表示するステップであって、該奨励メッセージは前記転送数に基づく情報を含む、前記表示するステップと、を含む、移動デバイスにおいて用いる、メッセージのマルチレイヤー転送を促進する方法。
【発明の詳細な説明】
【技術分野】
【０００１】
開示される実施の形態は、包括的に、メッセージのマルチレイヤー転送を促進するシステム及び方法に関する。
【背景技術】
【０００２】
現在、多くのベンダーが、ショートメッセージサービスを介して広告メッセージ及びディスカウントメッセージを送信することを望んでいる。例えば、特許文献１に記載されているように、広告のシステムが開示されている。広告の送信者は、メッセージの受信者の注意を引き、消費を促進するために、広告メッセージを迅速に送信したい。しかしながら、スパムとみなされる大量メッセージの受信を望まない人が増えつつある。このため、メッセージの受信者の注意を引き、消費を促進するために、ショートメッセージの形態で広告メッセージを送信することの効果は満足のいくものではない。ベンダーから多くの受信者に広告メッセージを送信することの実践はうまく機能していない。
【先行技術文献】
【特許文献】
【０００３】
【特許文献１】米国特許出願公開第２０１０／０３３２３０５号
【発明の概要】
【発明が解決しようとする課題】
【０００４】
本開示は、移動デバイス間のメッセージのマルチレイヤー転送を促進するシステム及び方法を対象とする。
【課題を解決するための手段】
【０００５】
一つの実施の形態によれば、移動デバイス間のメッセージのマルチレイヤー転送を促進する方法が提供される。本方法は以下のステップを含む。ステップ（ｓａ）において、少なくとも１つのフィードバックメッセージが広告サーバーによって受信され、該少なくとも１つのフィードバックメッセージのそれぞれが、転送ユーザー識別子と、対応する第１の受信デバイスの対応する第１の受信ユーザー識別子とを含み、前記広告サーバーシステムは、前記対応する第１の受信ユーザー識別子の前記対応する第１の受信デバイスから前記フィードバックメッセージを受信し、前記少なくとも１つのフィードバックメッセージを、前記転送ユーザー識別子と関連付けられた広告メッセージの第１レイヤー転送として解釈する。ステップ（ｓｂ）において、前記広告メッセージの前記第１レイヤー転送の第１の転送数が、該広告メッセージの該第１レイヤー転送の前記少なくとも１つのフィードバックメッセージに従って前記広告サーバーシステムに記録される。ステップ（ｓｃ）において、奨励メッセージが前記広告サーバーシステムから前記転送ユーザー識別子の転送移動デバイスに送信され、該奨励メッセージは、少なくとも前記第１の転送数に従って求められた転送重みに基づく情報を含む。
【０００６】
別の実施の形態によれば、移動デバイス間のメッセージのマルチレイヤー転送を促進するシステムが提供される。本システムは、受信ユニットと、格納ユニットと、処理ユニットと、送信ユニットとを備える。前記受信ユニットは少なくとも１つのフィードバックメッセージを受信し、該少なくとも１つのフィードバックメッセージのそれぞれが、転送ユーザー識別子と、対応する第１の受信デバイスの対応する第１の受信ユーザー識別子とを含み、広告サーバーシステムが、前記対応する第１の受信ユーザー識別子の前記対応する第１の受信デバイスから前記フィードバックメッセージを受信し、前記少なくとも１つのフィードバックメッセージを、前記転送ユーザー識別子と関連付けられた広告メッセージの第１レイヤー転送として解釈する。前記受信ユニット及び前記格納ユニットに結合された前記処理ユニットは、前記広告メッセージの前記第１レイヤー転送の第１の転送数を、該広告メッセージの該第１レイヤー転送の前記少なくとも１つのフィードバックメッセージに従って前記格納ユニットに記録する。前記送信ユニットは、前記転送ユーザー識別子の転送移動デバイスに奨励メッセージを送信し、該奨励メッセージは、少なくとも前記第１の転送数に従って求められた転送重みに基づく情報を含む。
【０００７】
代替の実施の形態によれば、移動デバイスにおいて用いる、移動デバイス間のメッセージのマルチレイヤー転送を促進する方法が提供される。本方法は以下のステップを含む。テキスト部と、ネットワークリソースロケーション特定部とを有する広告メッセージが提供される。該広告メッセージから少なくとも１つのロケーション情報が得られる。該少なくとも１つのロケーション情報は、前記ネットワークリソースロケーション特定部に従って少なくとも１つの対応するハイパーリンクに変換される。該少なくとも１つのハイパーリンクに従って情報要求がサーバーシステムに送信される。該サーバーシステムから応答データが受信される。該応答データに従って、前記広告メッセージを転送するための少なくとも１つのユーザーインターフェースが前記移動デバイスのユーザーインターフェース上に表示される。該ユーザーインターフェースから送信された転送確認に応答して、前記広告メッセージに基づくメッセージが、少なくとも１つのユーザー識別子の少なくとも１つの受信移動デバイスに転送される。前記転送動作の転送数が記録される。前記転送数に基づく奨励メッセージが表示される。
【０００８】
本開示の上記の態様及び他の態様は、好ましいが非限定的な実施形態（複数の場合もあり）の以下の詳細な説明に関してより良好に理解されるようになる。以下の説明は、添付の図面を参照して行われる。
【図面の簡単な説明】
【０００９】
【図１】移動デバイス間のメッセージのマルチレイヤー転送を促進するプラットフォームアーキテクチャの一実施形態を示す図である。
【図２】移動デバイス間のメッセージのマルチレイヤー転送を促進する方法の一実施形態のフローチャートである。
【図３】移動デバイス間のメッセージのマルチレイヤー転送を促進する方法の一実施形態のフローチャートである。
【図４】図１のプラットフォームアーキテクチャの広告サーバーシステム１０と移動デバイスとの間のインタラクションの一実施形態のシーケンス図である。
【図５】移動デバイス間のメッセージのマルチレイヤー転送を促進するシステムの一実施形態のブロック図である。
【図６】広告メッセージのコンテンツの一実施形態を示す図である。
【図７】図１のプラットフォームアーキテクチャの広告サーバーシステム１０と移動デバイスとの間のインタラクションの別の実施形態のシーケンス図である。
【図８】図１のプラットフォームアーキテクチャの広告サーバーシステム１０と移動デバイスとの間のインタラクションの代替の実施形態のシーケンス図である。
【図９】図１のプラットフォームの別の実施形態を示す図である。
【図１０】図９のプラットフォームアーキテクチャの移動デバイスによって実行される方法のメッセージフローチャートである。
【図１１】図９のプラットフォームアーキテクチャの移動デバイスによって実行されるユーザーインターフェースの一実施形態を示す図である。
【発明を実施するための形態】
【００１０】
以下の詳細な説明では、説明の目的で、開示される実施形態の完全な理解を提供するために、多数の具体的な詳細が示される。しかしながら、１つ又は複数の実施形態はこれらの具体的な詳細を用いることなく実施することができることは明らかであろう。他の例では、図面を簡単にするために、既知の構造及びデバイスが概略的に示される。
【００１１】
実施形態は、移動デバイス間のメッセージのマルチレイヤー転送を促進するシステム及び方法を提供する。図１は、移動デバイス間のメッセージのマルチレイヤー転送を促進するプラットフォームアーキテクチャの一実施形態を示している。図１に示すように、プラットフォーム１は、広告サーバーシステム１０と、移動デバイス間のメッセージ（広告メッセージ等）のマルチレイヤー転送を促進する移動デバイス（移動デバイスＭ０及びＭ１等）とを備える。プラットフォーム１において、外部から広告メッセージを受信する移動デバイスによって、広告メッセージの転送が開始される。移動デバイスＭ０等の移動デバイスは、以後、転送移動デバイスと呼ばれる。移動デバイスＭ０は、広告サーバーシステム１０によって提供された広告メッセージを受信する。代替的に、移動デバイスＭ０は、近距離無線通信（ＮＦＣ）タグ１１（ＮＦＣタグを有するポスター又はオブジェクト等）又は２次元バーコード１２（コンピューター画面又は印刷物にプリントされたクイック応答（ＱＲ）コード等）を読み取ることによって広告メッセージを取得する。図６の実施形態に示すように、広告メッセージ５は、テキスト部５１と、ＵＲＬ等のネットワークリソースロケーション特定部５２とを含む。他の実施形態では、広告メッセージ５は、ＧＰＳデータ５３等の他のデータを更に含むことができる。広告メッセージのフォーマットは、上記の例示に限定されない。例えば、ネットワークリソースロケーション特定部５２は、テキスト部５１の文字間又はテキスト部５１の前に現れてもよい。
【００１２】
移動デバイスＭ０が、広告メッセージの受信後、該広告メッセージ又は該広告メッセージに基づくメッセージ（推薦等）を、移動デバイスＭ１及びＭ２等の他の移動デバイス（受信デバイス又は受信移動デバイスと呼ばれる）に転送することを決定した場合、広告メッセージを他のユーザーの移動デバイスに転送することができる。一般に、広告メッセージは、拒絶する可能性がより低い、知り合い、友人、又は身内に転送され、そのような促進は受け入れられる可能性がより高い。移動デバイスの例には、スマート移動電話、移動電話、タブレットＰＣ、ノートブックコンピューター、及び電子本が含まれる。
【００１３】
広告サーバーシステム１０は、転送を促進するのに用いられ、広告メッセージの転送に関して奨励メッセージを生成し、該奨励メッセージを転送ユーザーの移動デバイスに更に転送する。転送ユーザーは、転送数に基づく重みに従って報酬を得るか、又は次の報酬について通知されるので、より進んで広告メッセージを転送する。図２は、移動デバイス間のメッセージのマルチレイヤー転送を促進する方法の一実施形態のフローチャートを示している。図２の方法の実施形態は、移動デバイス間のメッセージのマルチレイヤー転送を促進する広告サーバーシステム１０に適用可能である。図４を参照すると、図１のプラットフォームアーキテクチャの広告サーバーシステム１０と移動デバイスとの間のインタラクションの一実施形態のシーケンス図が示されている。本実施形態は、広告サーバーシステム１０から広告メッセージを取得する移動デバイスＭ０によって例示される。
【００１４】
図２のステップＳ１１０において、広告サーバーシステム１０は、広告メッセージを、ユーザー識別子ＩＤ０（以後、転送ユーザー識別子と呼ばれる）を有する移動デバイスＭ０に送信する。ここで、広告メッセージは、図６に示すように、テキスト部と、ネットワークリソースロケーション特定部とを含む。ユーザー識別子ＩＤは、メッセージを対応するユーザー又は移動デバイスＭ０に転送するための識別子である。識別子の例には、移動電話番号、又はインスタントメッセージングネットワークアカウント、又はソーシャルネットワーキングアカウント、又は位置決定のための他のネットワークアドレス、又はユーザーのエイリアス名を含めることができる。図４を参照すると、移動デバイスＭ０は、広告メッセージを受信した後には、矢印ＳＭ０１によって示されるように、該広告メッセージを、ユーザー識別子ＩＤ１を有する移動デバイスＭ１等の他のユーザーに転送する。後述の転送される広告メッセージは、元の広告メッセージと同じであるか、又は元の広告メッセージに基づいて変更／追加／削除したものとみなすことができ、ネットワークリソースロケーション特定部５２は、転送された広告メッセージにおいて依然として維持されている。移動デバイスＭ１はネットワークへのアクセスを有し、ウェブページブラウジング機能を有する。移動デバイスＭ１の受信機は、転送された広告メッセージを受信した後には、点線のブロックＳＭ１１によって示されるように、ネットワークリソースロケーション特定部５２（ＵＲＬ等）をクリックし、移動デバイスＭ１をホストに接続し、転送情報に応答して、ウェブページ技術又はＵＲＬパラメーターを通じて（ＨＴＭＬ、ＨＴＭＬ５、ＸＭＬのようなフォーマットの）フィードバックメッセージを送信する（矢印ＳＭ１２によって示される）。例えば、移動デバイスＭ１によって送信されるＵＲＬは、
http://www.pieony.com/feedback?ad=0001&sender=0999123456&receiver=0900123456
である。
【００１５】
上記のＵＲＬは、広告メッセージ０００１に関して、転送者の移動電話番号、０９９９１２３４５６と、受信者の移動電話番号、０９００１２３４５６とが、ウェブサイトhttp://www.pieony.comに転送されることを示す。別の実施形態では、点線のブロックＳＭ１１によって示される機能を実施するか、又は他のネットワークデータ転送技術を実施するのに用いられるアプリケーションプログラム（ＡＰＰ）を、移動デバイスＭ１においてインストールして実行し、転送された広告メッセージが移動デバイスＭ１によって受信されたときに、矢印ＳＭ１２によって示すようにフィードバックメッセージを送信することができる。
【００１６】
図２のステップＳ１２０において、少なくとも１つのフィードバックメッセージが広告サーバーシステム１０によって受信され、ここで、少なくとも１つのフィードバックメッセージのそれぞれが、転送ユーザー識別子ＩＤ０と、対応する第１の受信デバイスの対応する第１の受信ユーザー識別子とを含む。広告サーバーシステム１０は、対応する第１の受信ユーザー識別子の対応する第１の受信デバイスからフィードバックメッセージを受信し、少なくとも１つのフィードバックメッセージを、転送ユーザー識別子と関連付けられた広告メッセージの第１レイヤー転送として解釈する。ステップＳ１２０は多くの状況を包含することができる。例えば、移動デバイスＭ０が広告メッセージを移動デバイスＭ１に転送した後、移動デバイスＭ１が広告サーバーシステム１０にフィードバックメッセージを送信する。別の例では、移動デバイスＭ０は、広告メッセージを、移動デバイスＭ１及びＭ２又は他の移動デバイス等の多くのユーザーに転送する。ステップＳ１２０において、広告サーバーシステム１０は、複数のフィードバックメッセージをそれぞれ又は同時に受信することができる。移動デバイスＭ０（すなわち、転送ユーザー識別子の転送移動デバイス）の第１レイヤー転送から広告メッセージを受信する移動デバイスは、ステップＳ１２０において（デバイスＭ１及びＭ２等の）第１の受信デバイスと呼ばれる。このため、上記のフィードバックメッセージのうちの１つ又は複数を処理するとき、広告サーバーシステム１０は、少なくとも１つのフィードバックメッセージを、広告メッセージと関連付けられた（移動デバイスＭ０のユーザーに関する）転送ユーザー識別子ＩＤ０の第１レイヤー転送として解釈する。
【００１７】
図２のステップＳ１３０において、広告メッセージと関連付けられた第１レイヤー転送の第１の転送数が、該広告メッセージと関連付けられた第１レイヤー転送の少なくとも１つのフィードバックメッセージに従って広告サーバーシステム１０に記録される。ステップＳ１３０は、多くの状況を包含し、多くの異なる形で実施することができる。例えば、図４に示すように、移動デバイスＭ１はフィードバックメッセージを送信し（矢印ＳＭ１２によって示される）、広告サーバーシステム１０はフィードバックメッセージを受信し、現在の転送の状況を記録し、第１の転送数にカウントを更に加える。別の例では、移動デバイスＭ０は、移動デバイスＭ１及びＭ２又は他の移動デバイス等の多くのユーザーに広告メッセージを転送し、第１の受信デバイスからそれぞれ又は同時に送信されたフィードバックメッセージに関して現在の転送の状況を記録し、第１の転送数にカウントを加える。上記のステップＳ１２０及びＳ１３０は、多くのフィードバックメッセージが様々な順序で受信され、記録されることを示す。例えば、広告サーバーシステム１０は、或る時間期間に移動デバイスＭ１からフィードバックメッセージを受信した後、次に移動デバイスＭ２からフィードバックメッセージを受信する。このため、ステップＳ１２０及びＳ１３０は、広告サーバーシステム１０が２つのフィードバックメッセージを順番に受信し記録する状況を包含する。
【００１８】
図２のステップＳ１４０において、広告サーバーシステム１０から（ショートメッセージ、ウェブページ、又はソーシャルネットワーキング等を通じて）転送ユーザー識別子ＩＤ０の転送移動デバイスＭ０に奨励メッセージが送信される。奨励メッセージは、少なくとも第１の転送数に従って求められた転送重みに基づく情報を含む。換言すれば、転送数は転送重みの値に影響し、奨励メッセージは、転送重みに基づいて広告メッセージの転送の報酬を提供する。例えば、転送重みが大きいほど、転送者はより多くの特典又はディスカウントの報酬を受ける。転送重みは、少なくとも第１の転送数、又はマルチレイヤー転送の累積総転送数、又は各レイヤーの転送のそれぞれの転送数の加重和に従って求められる。
【００１９】
実行タイミングの様々な実施態様を包含する図２のステップＳ１４０を、様々な方法で実施することができる。例えば、広告サーバーシステム１０は、フィードバックメッセージを受信したとき、又は第１の転送数若しくは累積総転送数が特定の値に達するか若しくは特定の設計条件を満たすときはいつでも、奨励メッセージを送信して転送ユーザー識別子ＩＤのユーザーを奨励するステップＳ１４０を実行する。別の例では、広告サーバーシステム１０は、第２レイヤー転送（又はマルチレイヤー転送）のフィードバックメッセージを受信したときにのみステップＳ１４０を実行する。図４の矢印ＳＭ１３によって示すように、移動デバイスＭ１は広告メッセージを別の移動デバイスＭ１１に転送する。移動デバイスＭ１１は点線のブロックＳＭ１１によって示される方式に従って、矢印ＳＭ１１２によって示すようにフィードバックメッセージを送信する。図３を参照すると、移動デバイス間のメッセージのマルチレイヤー転送を促進する方法の一実施形態のフローチャートが示されている。ステップＳ３２０において、広告サーバーシステム１０によって、少なくとも１つのフィードバックメッセージが受信される。ここで、少なくとも１つのフィードバックメッセージのそれぞれが、対応する第１の受信ユーザー識別子（移動デバイスＭ１のユーザーのユーザー識別子ＩＤ１等）と、対応する第２の受信デバイスの対応する第２の受信ユーザー識別子（移動デバイスＭ１１のユーザーのユーザー識別子ＩＤ１１等）とを含む。広告サーバーシステム１０は、対応する第２の受信ユーザー識別子の対応する第２の受信デバイス（移動デバイスＭ１１及びＭ１２等）からフィードバックメッセージを受信し、少なくとも１つのフィードバックメッセージを、広告メッセージと関連付けられた第２レイヤー転送として解釈する。ステップＳ３３０において、広告メッセージと関連付けられた第２レイヤー転送の第２の転送数が、広告メッセージと関連付けられた第２レイヤー転送の少なくとも１つのフィードバックメッセージに従って広告サーバーシステム１０に記録される。図１に示すように、移動デバイスＭ１１、Ｍ１２、Ｍ２１、及びＭ２２のそれぞれがフィードバックメッセージを送信する場合、広告サーバーシステム１０に記録される第２の転送数は４である。図４に示すように、ステップＳ３３０が実行された後、次にステップＳ１４０を実行することができる。ステップＳ１４０の転送重みは、第１の転送数及び第２の転送数のうちの少なくとも一方、又は総転送数、又は各レイヤーの転送のそれぞれの転送数の加重和に従って求められる。
【００２０】
ステップＳ１４０の転送重みと転送数との間の関係を以下に例示する。表１の例は、総転送数に基づく。
【００２１】
【表１】
0005420714.tif 000002
【００２２】
例えば、総転送数（Ｓｆｗ）が１０に届いたとき、転送重み（ＦＷ）は２であり、対応するディスカウントは１０％オフである。図１に示すように、移動デバイスＭ０から発信された転送と関連付けられた受信デバイスのそれぞれが広告サーバーシステム１０にフィードバックメッセージを送信する場合、総転送数Ｓｆｗは７であり、転送重みは１であり、対応するディスカウントは５％である。同じ類推によって、転送重みはＦＷ＝ｆ（Ｓｆｗ）として表すことができる。ここで、ＦＷは転送重みを表し、対応する関係ｆ（）は表１のステップレベル関数である。対応する関係を、ＦＷ＝ｃ１＊Ｓｆｗとして表すこともできる。
【００２３】
表２の例において、第１の転送数（Ｎｆｗ１）及び他の転送数（Ｍｆｗ）（又は第２の転送数若しくは第１レイヤー転送後の総数）に従って転送重みが求められる。
【００２４】
【表２】
0005420714.tif 000003
【００２５】
表２に示すように、転送重みはＦＷ＝ｆ１（Ｎｆｗ１）＋ｆ２（Ｍｆｗ）として表すことができ、ここでＦＷは転送重みを表し、転送重みの値は加重和から得ることができ、対応する関係ｆ１（）及びｆ２（）は必要に応じて設計される。
【００２６】
さらに、実施形態の転送数は、有効な転送をカウントすることによって得られる。有効な転送は、広告サーバーシステム１０がフィードバックメッセージの受信に成功し、かつ受信デバイス（すなわちユーザー）がその広告メッセージを以前に受信したことがない場合を指す。有効な転送は、ステップＳ１２０において受信されたフィードバックメッセージ及びステップＳ１３０の記録から推定し、求めることができる。
【００２７】
他の実施形態では、広告サーバーシステム１０は、１つ又は複数の広告主の広告メッセージを転送することが可能な動作プラットフォームとして用いられ、広告主に課金することが可能なメカニズムとして実現される、広告事業のサーバーシステムとみなすことができる。例えば、上記の実施形態の方法は、広告支払いメッセージ（ウェブページ、ショートメッセージ、電子メール等）を生成することを更に含むことができる。広告支払いメッセージは、広告支払い値に基づく情報を含み、総転送数又は総転送数の加重和等、少なくとも第１の転送数及び第２の転送数に従って求められる。広告支払い値（ＡＤＰ）は、ＡＤＰ＝Ｆ（Ｓｆｗ）又はＡＤＰ＝Ｆ１（Ｎｆｗ１）＋Ｆ２（Ｍｆｗ）として表すことができ、ここでＦ（）、Ｆ１（）、Ｆ２（）は対応する関係である。また、特定の広告メッセージと関連付けられた広告支払い値が、移動デバイスＭ０等の多くの移動デバイスの転送ユーザーの総転送数に従って計算される。別の例では、広告支払い値を計算するために、特定の広告代理人のそれぞれの広告メッセージと関連付けられた総転送数が計算される。別の例では、図１のＮＦＣタグ１１又はＱＲコード（登録商標）１２等の広告メッセージの他のソースと関連付けられた広告支払い値が、それぞれの数及び製造コストに従って計算される。実際の用途では、広告支払いメッセージを実行するタイミングは実際の必要性に従って求められる。例えば、広告支払いメッセージは、全ての時間期間に、又は或る条件が満たされるといつでも送信される。代替的に、広告代理人は、広告サーバーシステム１０のウェブページを訪れ、広告支払いのメッセージについて問い合わせることもできる。
【００２８】
以下の実施形態では、移動デバイスＭ０の動作、図２の方法、及び広告サーバーシステム１０の様々な実施態様が、広告サーバーシステム１０によって、広告メッセージをショートメッセージの形態で移動デバイスＭ０に送信することによって例示される。
【００２９】
図５を参照すると、移動デバイス間でメッセージのマルチレイヤー転送を促進するシステムの一実施形態のブロック図が示されている。広告サーバーシステム１０は、送信ユニット１１０と、受信ユニット１２０と、処理ユニット１３０と、格納ユニット１４０とを備える。送信ユニット１１０は、ステップＳ１１０及びＳ１４０を実施するのに用いることができる。受信ユニット１２０は、ステップＳ１２０を実施するのに用いることができる。処理ユニット１３０は、ステップＳ１３０を実施し、転送数を格納ユニット１４０に記録するのに用いることができる。加えて、広告メッセージは格納ユニット１４０に格納することができる。一実施形態では、広告サーバーシステム１０は、ユーザーデータを管理し、ウェブページ要求（ＨＴＴＰ要求等）を受信し、フィードバック重みを求め、広告メッセージを転送するためのサーバーホストである。広告サーバーシステム１０は、任意のオペレーティングシステムによって構築し、移動通信ネットワーク（２Ｇ、３Ｇ、又は４Ｇ等）又は無線インターネット等の電気通信ネットワークに接続することができる。例えば、広告サーバーシステム１０は、移動通信ネットワーク（２Ｇ、３Ｇ等）をサポートする移動デバイスＭ０にショートメッセージの形態で広告メッセージを送信するために、インターネットを介した移動通信ネットワークに接続することができる。送信ユニット１１０は、外部ネットワークと接続するための電気通信ハードウェアデバイスを有する。送信ユニット１１０及び受信ユニット１２０は、電気通信ユニットとして組み合わせることができる。図６に示すように、広告メッセージは少なくとも、テキスト部５１と、ＵＲＬ等のネットワークリソースロケーション特定部５２とを含む。幾つかの実施形態では、広告サーバーシステム１０は、多くのサーバーを含む分散サーバーシステムによって実現することができ、ここで各ユニットはローカルネットワークのサーバーとして実現することができる。また、広告サーバーシステム１０は、クラウドコンピューティングシステムによって実現することができ、各ユニットはクラウドのサーバーとすることができる。
【００３０】
様々な実施態様の下での移動デバイスＭ０の動作が以下に例示される。
【００３１】
第１の実施形態
本実施形態では、点線のブロックＳＭ１１によって示される機能又は他のネットワークデータ転送技術を実施するのに用いられるアプリケーションプログラム（ＡＰＰ）をインストールし、移動デバイスＭ０上で実行することができる。移動デバイスＭ０は、移動電話、タブレットＰＣ、又は移動通信機能を有するデバイス（ＧＰＳデバイス等）等のスマートデバイスによって実現することができる。図７を参照すると、移動デバイスＭ０が転送された広告メッセージを受信した後、点線のブロックＳＭ０２によって示すように、アプリケーションプログラム（ＡＰＰ）は、広告メッセージのコンテンツを解析し、メッセージを転送することが可能なユーザーインターフェースを提供することができる。移動デバイスＭ０のユーザーは、ユーザーインターフェースを介して、移動デバイスＭ０のコンタクトリスト若しくは移動デバイスＭ０の他のリストから広告メッセージのターゲット受信者を選択するか、ユーザー識別子を入力するか、又は広告メッセージを転送する前に該広告メッセージのコンテンツを編集することができる。移動デバイスＭ０は、（矢印ＳＭ０３によって示すように）広告メッセージを転送した後、矢印ＳＭ０４によって示すように、アプリケーションプログラム（ＡＰＰ）によってインターネットを介して報告メッセージを送信する。報告メッセージは、移動デバイスＭ０のユーザー識別子ＩＤ０、及び受信デバイス（移動デバイスＭ１等）のユーザー識別子ＩＤ１等の、転送に関連した情報を含む。
【００３２】
第２の実施形態
本実施形態では、移動デバイスＭ０はアプリケーションプログラム（ＡＰＰ）を備えておらず、インターネットアクセス機能を有する。さらに、移動デバイスＭ０のウェブブラウザーは、スクリプトプログラム又はＨＴＭＬ５等をサポートし、移動デバイスＭ０における広告メッセージの転送等の機能を実行するブラウザープログラムを用いることができる。移動デバイスＭ０が広告メッセージのＵＲＬ等からウェブページ要求を送信するとき、ウェブサイトによって返答されるウェブページは、転送プログラムのプログラミングコード（スクリプトプログラム又はＨＴＭＬ５等）を含む。ユーザーは、ブラウザーの転送プログラムを実行することによって、移動デバイスＭ０のコンタクトリスト又は移動デバイスＭ０の他のリストから広告メッセージのターゲット受信者を選択するか、ユーザー識別子を入力するか、又は広告メッセージを転送する前に広告メッセージのコンテンツを編集することができる。移動デバイスＭ０は、（矢印ＳＭ０３によって示すように）広告メッセージを転送した後、矢印ＳＭ０４によって示すように、ブラウザーにおいて実行される転送プログラムを用いて、インターネットを介して報告メッセージを送信することができる。
【００３３】
第３の実施形態
本実施形態では、移動デバイスＭ０はアプリケーションプログラム（ＡＰＰ）を備えておらず、インターネットアクセス機能を有する。さらに、移動デバイスＭ０のウェブブラウザーは、スクリプトプログラム又はＨＴＭＬ５等をサポートしておらず、第２の実施形態において開示されているような広告メッセージの転送等の機能を実行することができない。こうした状況下で、移動デバイスＭ０は、ＷＡＰインターネットアクセスを提供する移動電話又はインターネットアクセスを有する３Ｇ移動電話によって実現することができる。本実施形態では、広告サーバーシステム１０は転送機能を提供し、移動デバイスＭ０のユーザー識別子ＩＤ０の名前で広告メッセージを他のユーザーに転送する。図８を参照すると、点線ブロックＳＭ０５によって示すように、移動デバイスＭ０は、広告メッセージのネットワークリソースロケーション特定部（ＵＲＬ等）から、矢印ＳＭ０８によって示すようにウェブページ要求（ＨＴＴＰ要求等）を送信する。ステップＳ８１０において、広告サーバーシステム１０は、転送ユーザー識別子に対応するウェブページ要求に応答して、ユーザー識別子ＩＤ０の移動デバイスＭ０に少なくとも１つのウェブページを提供する。その少なくとも１つのウェブページは、メッセージを転送することが可能なユーザーインターフェースを提供する。移動デバイスＭ０のユーザーは、ユーザーインターフェースを介して、移動デバイスＭ０のコンタクトリスト又は移動デバイスＭ０の他のリストから広告メッセージのターゲット受信者を選択するか、ユーザー識別子を入力するか、又は広告メッセージを転送する前に広告メッセージのコンテンツを編集することができる。ユーザーは、移動デバイスＭ０のブラウザープログラムにおいてユーザーインターフェースを操作することによって、矢印ＳＭ０９によって示すように転送要求を送信する。ステップＳ８２０において、広告サーバーシステム１０は、転送要求に応答して、広告メッセージに基づく情報を、少なくとも１つのユーザー識別子によって示された少なくとも１つの移動デバイス（図１の移動デバイスＭ１及びＭ２等）に転送する。転送要求は、選択された転送ターゲット若しくはユーザー識別子を特定するか、又は転送ターゲットのユーザー識別子若しくは指定を含み、それによって、少なくとも１つのユーザー識別子によって表される少なくとも１つの移動デバイスに広告メッセージを転送するための、ユーザー識別子ＩＤ０の移動デバイスＭ０の命令を示す。さらに、広告サーバーシステム１０が転送要求を受信するとき、これは第１の実施形態又は第２の実施形態において示すような、報告メッセージが受信されたことと等しい。
【００３４】
上記で開示した第１〜第３の実施形態では、広告サーバーシステム１０は、報告メッセージを更に処理又は利用することができる。例えば、広告サーバーシステム１０は、第１の転送数にカウントを加えることができる。移動デバイスＭ１がインターネットに接続することができないか又はフィードバックメッセージを送信するためのアプリケーションプログラムを備えていないとき、報告メッセージを用いて転送数を計算することができる。加えて、ステップＳ１１０とともに報告メッセージを用いて、転送ターゲットを特定するか、又は広告メッセージの転送に成功したか否かを確認し、それによって、転送の挙動をより正確に計算するか、又は転送ユーザーに報酬を与えるためのメカニズムを設計することができる。
【００３５】
第４の実施形態
本実施形態では、移動デバイスＭ０はアプリケーションプログラム（ＡＰＰ）も備えておらず、インターネットにも接続されておらず、インターネットアクセス機能を有しない。移動デバイスＭ０は、２Ｇ移動電話、又は電話をかける／受けるか若しくはショートメッセージを送受信する等の基本機能を有する移動電話によって実現することができる。そのような状況下で、移動デバイスＭ０は、移動デバイスＭ１に広告メッセージを転送した後、転送に関する情報を、インターネットを介して広告サーバーシステム１０に報告することができない。移動デバイスＭ１は、インターネットに接続することができるか又はアプリケーションプログラム（ＡＰＰ）を備えている場合、ステップＳ１２０に示すようにフィードバックメッセージを送信し、広告サーバーシステム１０は転送情報、すなわち転送者及び受信者並びに累積転送数を記録することができる。したがって、図２の方法の実施形態は、転送メッセージを促進する効果を達成する。別の実施形態では、広告サーバーシステム１０は、ショートメッセージを送受信する機能を有する。移動デバイスＭ０は、広告メッセージを移動デバイスＭ１に転送した後、上記で例示したように、報告メッセージをショートメッセージの形態で広告サーバーシステム１０に送信することができる。
【００３６】
第１〜第４の実施形態では、広告メッセージはショートメッセージの形態で転送される。しかしながら、他の実施形態では、図１の移動デバイス間の広告メッセージの転送は、移動電話のＮＦＣタグ、Ｂｌｕｅｔｏｏｔｈ（登録商標）、若しくはアプリケーションプログラム（Ａｐｐｌｅｔ）、移動電話用ウェブページ（mobile web page）又はソーシャルネットワーキングアカウント（Ｆａｃｅｂｏｏｋ、ＭＳＮ等）によって達成することもできる。
【００３７】
また、図２の方法の実施形態では、転送移動デバイスの定義は図１に示すような移動デバイスＭ０に限定されない。他の実施形態では、広告サーバーシステム１０は他の移動デバイス（移動デバイスＭ１又はＭ１１等）を転送移動デバイスとみなすことができ、図２のステップＳ１２０〜Ｓ１４０に従って移動デバイスＭ１又はＭ１１の転送数を計算し、奨励メッセージを移動デバイスＭ１又はＭ１１に送信する。
【００３８】
第５の実施形態
第１の実施形態及び第２の実施形態の他の実施態様を以下に例示する。例えば、移動デバイスＭ０のアプリケーションプログラム（ＡＰＰ）（又はブラウザープログラム）は、例えばショートメッセージのコンテンツをパースし、そこから関連情報を抽出することによって該コンテンツを解析し、その解析に基づいて広告サーバーシステム１０にウェブページ要求を送信することができる。広告サーバーシステム１０は、広告のコンテンツに関連する他の情報（マップ及びディスカウントメッセージ等）を移動デバイスＭ０に送信することができる。したがって、ユーザーの観点から、移動デバイスＭ０と広告サーバーシステム１０との間のインタラクションがより直接的であり、ユーザーが広告メッセージを理解するのがより容易であり、それによってユーザーはより進んで広告メッセージを転送することを望むことになる。
【００３９】
図９を参照すると、図１のプラットフォームの別の実施形態が示されている。本実施形態では、ショートメッセージ（ショートメッセージ９０等）のロケーション情報（アドレス、ランドマーク、又はＧＰＳ座標等）を、本開示の本実施形態において構築されるプラットフォームを通じて、対応する電子マップに直接変換することができ、ハイパーリンクの形式でショートメッセージ（図９の変換されたショートメッセージ９１等）上に表示することができる。移動デバイスは、ハイパーリンクを介して、プラットフォーム（図９の広告サーバーシステム２０等）、及びユーザーが対応するマップを見るためのインターフェース（移動デバイスＭ０のブラウザープログラム又はアプリケーションプログラム（ＡＰＰ）等）に接続し、関連するディスカウント情報を得ることができる。ユーザーは、（図１に示すように）本開示の本実施形態のプラットフォームを介してメッセージを転送する場合、転送数又は重みに従って、ディスカウント又は他の特典等のより多くの報酬を受ける。
【００４０】
図９に示すような本開示のシステムアーキテクチャは、少なくとも、ショートメッセージを受信し、ロケーションに関連するメッセージを処理し、フィードバックメッセージを送信し、工場フィードバックメカニズム及び重みを設定し、ショートメッセージを転送するためのサーバー（図５の実施形態等）を備える。サーバーは、移動デバイスによって転送されたショートメッセージを受信する任意のオペレーティングシステムによって構築することができ、インターネット（９９によって指定される）に更に接続することができる。ショートメッセージを受信する機能は、外部電気通信モジュールによって達成することができる。ロケーション関連メッセージを処理する機能、フィードバックメッセージを送信する機能、工場フィードバックメカニズム及び重みを設定する機能は、本開示の本実施形態において説明するような規則及びアルゴリズムをプログラムすることによって達成することができる。ショートメッセージを転送する機能は、インターネット又は外部電気通信モジュールに接続することによって達成することができる。ショートメッセージを送受信する機能を有し、かつウェブページをブラウジングするブラウザーを有する任意の移動デバイスＭ０を、本開示において実施されるようなアーキテクチャにおいて適用することができる。移動デバイスは任意のオペレーティングシステムによって構築することができる。
【００４１】
図１０を参照すると、図９のプラットフォームアーキテクチャの移動デバイスによって実行される方法のメッセージフローチャートが示されている。本開示の本実施形態の方法は、少なくとも以下のステップを含む。
【００４２】
ショートメッセージの受信後、ステップＳ９１０において、移動デバイスＭ０上にインストールされたアプリケーションプログラム（ＡＰＰ）は、ショートメッセージ９０から、アドレス（アドレス記述条件の記述に従う）、ランドマーク（ランドマーク記述条件の記述に従う）、又はＧＰＳ座標（ＧＰＳ座標記述条件の記述に従う）をロケーション特定し、該ロケーション特定された情報からハイパーリンクを作成する。広告サーバーシステム２０のＵＲＬ  http://www.adsearch.comを例にとる。ショートメッセージから（from）ロケーション特定されたアドレスはＡＢＣである。アドレスは、アプリケーションプログラム（ＡＰＰ）によってハイパーリンク（下線を付される等）として表示される。ハイパーリンクがユーザーによってクリックされると、移動デバイスＭ０から直接送信されるウェブページ要求は、
http://www.adsearch.com/map?address=ABC
として表される。
【００４３】
ステップＳ９２０において、アプリケーションプログラム（ＡＰＰ）は、ハイパーリンクが押下されたか否かを更に判断することができる。ｎｏの場合、アプリケーションプログラムは終了するか又は他の処理を実行する。ｙｅｓの場合、移動デバイスＭ０は上記で開示したようにウェブページ要求を送信する。
【００４４】
移動デバイスは、点線の四角形フレーム９２によって示されるアドレス、ランドマーク、又はＧＰＳ座標のハイパーリンクを介して、本実施形態の広告サーバーシステム２０に接続することができ、アドレス、ランドマーク、又はＧＰＳ座標の情報は、ｈｔｔｐ要求の形態で一緒に送信される。広告サーバーシステム２０は、対応するｈｔｔｐ供給要求に応答して、少なくとも１つのウェブページ又はデータ９５を移動デバイスＭ０に送信する。ステップＳ９３０において、アプリケーションプログラム（ＡＰＰ）は、図１１のフレーム９６によって示すように、データに従って、ロケーションのマップ、ディスカウント情報、及びメッセージを転送するためのユーザーインターフェースを表示することができる。ステップＳ９４０において、広告メッセージを転送するか否かが判断される。ｙｅｓの場合、広告メッセージがターゲット受信者に転送される。ステップＳ９５０において、フィードバックが計算され記録される。
【００４５】
上記のプラットフォームによって提供される動作インターフェースがショートメッセージ又は電子メール等のメッセージを転送した後、プラットフォームのアプリケーションプログラム（ＡＰＰ）はメッセージ転送数及びメッセージ転送の重みに従って特典を計算し、報酬を転送者に送信することができる。広告サーバーシステム１０は、上記の実施形態の報告メッセージＳＭ０４及びステップＳ１２０等に従って、転送の成功を判断し、該転送の情報を得ることができ、得られた情報を転送重みの計算の基礎として更に用いる。例えば報酬の公平性を維持するために、転送重みに従って、例えば転送挙動又はユーザーに様々な特典又は報奨を割り当てることができる。
【００４６】
本開示の本実施形態において開示されるフィードバックメカニズムを通じて、ベンダーは、より多くの消費者が広告及びディスカウントメッセージについて通知されるようにすることができ、ショートメッセージ転送者はより多くの特典を得ることができる。一方で、消費者は複雑な検索プロセスを経る必要なくベンダーのロケーション情報を容易に得ることができ、これは実際に、消費者に非常に好都合である。
【００４７】
第５の実施形態ではアプリケーションプログラム（ＡＰＰ）が例示として用いられる。しかしながら、第５の実施形態の例示は、第２の実施形態の例及び第３の実施形態の例にも適用可能である。第２の実施形態の例では、ブラウザープログラムは、広告メッセージの転送のためのユーザーインターフェースとして用いられる。第３の実施形態の例では、広告サーバーシステム１０は、広告メッセージを転送するためにブラウザープログラムを用いる。
【００４８】
また、第５の実施形態は、移動デバイスにおいて用いる、メッセージのマルチレイヤー転送を促進する方法を開示する。本方法は以下のステップを含む。テキスト部と、ネットワークリソースロケーション特定部とを含む広告メッセージが受信される。例えばテキストのパース及び抽出による広告メッセージの解析によって、広告メッセージから少なくとも１つのロケーション情報が得られる。少なくとも１つのロケーション情報は、ネットワークリソースロケーション特定部に従って少なくとも１つの対応するハイパーリンクに変換される。少なくとも１つのハイパーリンクに従って、情報要求がサーバーシステム、例えば上記で例示したような広告サーバーシステム等のウェブベースのサーバーシステムに送信される。サーバーシステムの応答データが受信される。応答データに従って、少なくとも、広告メッセージを転送するためのユーザーインターフェースが移動デバイスのユーザーインターフェース上に表示される。ユーザーインターフェースから送信された転送確認に応答して、広告メッセージに基づくメッセージが、少なくとも１つのユーザー識別子の少なくとも１つの受信移動デバイスに転送される。転送動作の転送数が記録される。転送数に基づく情報を含む奨励メッセージが移動デバイスのユーザーインターフェース上に表示される。別の実施形態では、応答データに従って、少なくとも、広告メッセージを転送するためのユーザーインターフェース及び応答データが移動デバイスのユーザーインターフェース上に表示される。応答データは、少なくとも１つのロケーション情報と関連付けられたマップデータ、トラフィックデータ、又は付属データを含む。マップデータは宛先の近傍を包含するマップ等である。トラフィックデータは現在のアドレスから宛先へのルート又は輸送と関連付けられた計画又は情報等である。付属データは、ディスカウント情報又は任意の他の関連データ等である。応答データは、図１１に示すように、画像、テキスト、又はテキスト及び画像の組合せの形態で表示される。
【００４９】
メッセージのマルチレイヤー転送を促進するシステム及び方法の複数の実施形態が上記で開示された。メッセージのマルチレイヤー転送を促進するシステムの幾つかの実施形態では、ユーザーの挙動を変更するために、移動デバイス間のマルチレイヤー転送を促進する奨励メッセージが、転送数に従って効果的に送信される。幾つかの実施形態は、システム及び移動デバイスが、メッセージのマルチレイヤー転送を促進するプラットフォームを提供し、実施の観点からより柔軟性があることを示している。第１〜第５の実施形態は、異なるタイプの移動デバイスにも適用可能である。幾つかの実施形態では、メッセージのマルチレイヤー転送を促進するシステム及び方法は、移動デバイスにも適用可能であり、より関連した情報（マップ、ディスカウント情報、又は報酬情報等）を、より好都合な方法で表示し、ユーザーにより良好なユーザー体験を与え、ユーザーが、関連した広告メッセージをより進んで転送することを望むようにすることが可能である。幾つかの実施形態では、広告支払いは正確に計算することもできる。
【００５０】
開示されている実施形態に対し様々な変更及び変形を行うことができることが当業者には明らかであろう。詳細な説明及び実施例は例示としてのみ考えられることが意図されており、開示の真の範囲は以下の特許請求の範囲及びそれらの均等物によって示される。
【図１】
0005420714.tif 000004
【図２】
0005420714.tif 000005
【図３】
0005420714.tif 000006
【図４】
0005420714.tif 000007
【図５】
0005420714.tif 000008
【図６】
0005420714.tif 000009
【図７】
0005420714.tif 000010
【図８】
0005420714.tif 000011
【図９】
0005420714.tif 000012
【図１０】
0005420714.tif 000013
【図１１】
0005420714.tif 000014